(57)【要約】【課題】有効塩素成分を含有する電解生成水を殺菌洗浄等に使用する場合に、洗浄台の設置場所の周囲に揮発する塩素成分を除去する塩素成分除去装置を、洗浄台に設置できるように小型に構成する。【解決手段】塩素成分除去装置Ａ1は、洗浄台Ｃの受槽ｃ3の近傍に吸気口１１ｄが開口する吸気用ダクト１１と、吸気用ダクト１１内に配置された塩素成分除去剤１２と、吸気用ダクト１１内に配置された吸気用ファン１３を備え、吸気用ファン１３の駆動により、受槽ｃ3の周囲の雰囲気を吸気口１１ｄから吸気用ダクト１１内に吸引し、塩素成分除去剤１２と接触させて塩素成分を除去して、排気口１１ｃから排出させる。【選択図】    図１
2005081288.tif 000002
【特許請求の範囲】
【請求項１】
電解生成水供給源から吐出する有効塩素成分を含有する電解生成水を受水する受槽を備える洗浄台または同洗浄台に近接して配置されて、前記電解生成水供給源から吐出する電解生成水から揮発するガスを吸引して同ガス中の塩素成分を除去する塩素成分除去装置であり、当該塩素成分除去装置は、前記洗浄台の受槽の近傍に吸気口が開口する吸気用ダクトと、同吸気用ダクト内に配置された塩素成分除去剤と、前記吸気用ダクト内または同吸気用ダクトの排気口に近接して配置され前記受槽の周囲の雰囲気を前記吸気口から前記吸気用ダクト内に吸引して前記塩素成分除去剤と接触させて前記排気口から排出させる吸気用ファンを備えていることを特徴とする電解生成水から揮発する塩素成分除去装置。
【請求項２】
請求項１に記載の塩素成分除去装置であり、当該塩素成分除去装置は前記洗浄台における前記受槽に隣接する受台に配置されていて、前記吸気用ダクトの吸気口が前記受槽の近傍に開口していることを特徴とする電解生成水から揮発する塩素成分除去装置。
【請求項３】
請求項１に記載の塩素成分除去装置であり、当該塩素成分除去装置は前記洗浄台を構成する台本体内の空間部に配置されていて、前記吸気用ダクトが前記洗浄台の側部に沿って上方へ延びて、同吸気用ダクトの吸気口が前記受槽の近傍に開口していることを特徴とする電解生成水から揮発する塩素成分除去装置。
【請求項４】
請求項１〜３のいずれか一項に記載の塩素成分除去装置であり、当該塩素成分除去装置は、前記洗浄台における前記受槽の一側から前記電解生成水供給源の電解生成水用吐出口の下方を経て前記吸気用ダクトの吸気口に至る空気流を形成する空気流形成手段を備えていることを特徴とする電解生成水から揮発する塩素成分除去装置。
【請求項５】
請求項４に記載の塩素成分除去装置において、前記空気流形成手段は、前記吸気用ダクトにおける前記洗浄台の受槽の一側に延出させた下流側ダクト部の先端に位置して同吸気用ダクトの吸気口に対向して開口する排気口であることを特徴とする電解生成水から揮発する塩素成分除去装置。
【請求項６】
請求項４に記載の塩素成分除去装置において、前記空気流形成手段は、前記吸気用ダクトとは独立して形成した第２の吸気用ダクトの前記洗浄台の受槽の一側にて開口する排気口であることを特徴とする電解生成水から揮発する塩素成分除去装置。
【請求項７】
請求項１〜６のいずれか一項に記載の塩素成分除去装置であり、当該塩素成分除去装置が採用する塩素成分除去剤は、活性炭、塩素成分と化学反応する反応剤を坦持する活性炭、チオ硫酸ナトリウム、チオ硫酸ナトリウム水溶液、電解生成アルカリ性水、アルカリ性水の群から選択される塩素成分除去剤であることを特徴とする電解生成水から揮発する塩素成分除去装置。
【請求項８】
請求項１〜６のいずれか一項に記載の塩素成分除去装置において、前記吸気用ダクトは、前記塩素成分除去剤の配設部位の上流側部位に防塵用フィルターを備えていることを特徴とする電解生成水から揮発する塩素成分除去装置。
【請求項９】
請求項１〜８のいずれか一項に記載の塩素成分除去装置であり、当該塩素成分除去装置は、前記電解生成水供給源の電解生成水吐出運転に連動して運転されるように構成されていることを特徴とする電解生成水から揮発する塩素成分除去装置。
【請求項１０】
請求項９に記載の塩素成分除去装置であり、当該塩素成分除去装置を構成する吸気用ファンは、前記電解生成水供給源の電解生成水吐出運転の始動により始動し、かつ、当該電解生成水吐出運転の停止により停止し、または、当該電解生成水吐出運転の停止後所定時間経過後に停止するように構成されていることを特徴とする電解生成水から揮発する塩素成分除去装置。
【発明の詳細な説明】
【技術分野】
【０００１】
本発明は、電解水生成装置で生成される有効塩素成分を含有する電解生成水から揮発する塩素成分を除去するための塩素成分除去装置に関する。本発明では、当該塩素成分除去装置を、電解生成水から揮発する塩素成分除去装置と称するが、単に、塩素成分除去装置と称することがある。
【背景技術】
【０００２】
電解水生成装置で生成される電解生成水の使用態様として、家庭や店舗の流し台（シンク）等、洗浄台に近接して配設した電解水生成装置の電解生成水用吐出口から吐出する電解生成水や、電解生成水用貯留タンク等の電解生成水用吐出口から吐出する電解生成水を洗浄台の受槽に受水し、受槽に収容された電解生成水や吐出途中の電解生成水を洗浄用水として使用し、または、その他の処理用途に使用する態様がある。なお、本発明では、上記した電解水生成装置および電解生成水用貯留タンク等を、一括して電解生成水供給源と称している。
【０００３】
電解生成水のこのような使用態様においては、電解生成水供給源から各種の特性の電解生成水を選択して吐出して使用することができるが、特に、塩素成分を含有する酸性の電解生成性水は高い殺菌能を有することから、人体の手足等を消毒洗浄するためや、食材、食器類、その他の機器等を殺菌洗浄するために好適で頻繁に使用される。当該電解生成水は、一般に電解生成酸性水と称しており、以下では、当該電解生成水を電解生成酸性水ということがある。電解生成酸性水のこのような使用態様を採用することができる洗浄台については、電解水手洗器の名称で提案されている（特許文献１参照）。
【０００４】
ところで、電解生成酸性水のこのような使用態様では、電解生成酸性水に含有されている塩素成分は、電解水生成装置や電解生成水用タンク等の電解生成水供給源から吐出途中の電解生成酸性水や、受槽に収容されている電解生成酸性水から塩素ガス等として揮発し、揮発した塩素ガス等の塩素成分が電解生成酸性水を使用する周囲の環境を汚染する。このため、電解生成酸性水のこのような使用態様では、電解生成酸性水から揮発した塩素ガス等の塩素成分を、洗浄台の周囲から室外へ排気することが重要であり、従来では、洗浄台の設置場所に換気設備を設置する手段が採られている。
【特許文献１】特開平１１−２３５３７８号公報
【発明の開示】
【発明が解決しようとする課題】
【０００５】
このように、電解生成酸性水のこのような使用態様では、電解生成酸性水から揮発する塩素ガス等の塩素成分を、使用する洗浄台の周囲の雰囲気とともに排気するための換気設備の設置が不可欠である。しかしながら、洗浄台の設置場所によっては換気設備の設置が難しい場合があり、また、換気設備の設置がコスト的に問題となる場合がある。本発明の目的は、電解生成酸性水のこのような使用態様を、換気設備が整っていない場所でも採用し得るようにすることにある。本発明の目的は、詳しくは、電解生成酸性水から揮発する塩素ガス等の塩素成分を効率よく除去し得る塩素成分除去装置であって、洗浄台の受槽に隣接する受台に載置し、または、洗浄台を構成する台本体内の空間部に組込むことができる小型の塩素成分除去装置を提供することにある。
【課題を解決するための手段】
【０００６】
本発明は、電解水生成装置で生成される有効塩素成分を含有する電解生成水から揮発する塩素成分を除去するための塩素成分除去装置に関する。本発明に係る塩素成分除去装置は、電解水生成装置や電解生成水用貯留タンク等電解生成水供給源から吐出する有効塩素成分を含有する電解生成水を受水する受槽を備える洗浄台または同洗浄台に近接して配置されて、前記電解生成水供給源から吐出する電解生成水から揮発するガスを吸引して同ガス中の塩素成分を除去する、電解生成水から揮発する塩素成分除去装置である。
【０００７】
しかして、本発明に係る塩素成分除去装置は、前記洗浄台の受槽の近傍に吸気口が開口する吸気用ダクトと、同吸気用ダクト内に配置された塩素成分除去剤と、前記吸気用ダクト内または同吸気用ダクトの排気口に近接して配置され前記受槽の周囲の雰囲気を前記吸気口から前記吸気用ダクト内に吸引して前記塩素成分除去剤と接触させて前記排気口から排出させる吸気用ファンを備えていることを特徴とするものである。
【０００８】
本発明に係る塩素成分除去装置においては、前記洗浄台における前記受槽に隣接する受台に配置して、前記吸気用ダクトの吸気口を前記受槽の近傍に開口させる構成とすることができ、また、前記洗浄台を構成する台本体内の空間部に配置して、前記吸気用ダクトを前記洗浄台の側部に沿って上方へ延出して、同吸気用ダクトの吸気口を前記受槽の近傍に開口させる構成とすることができる。
【０００９】
本発明に係る塩素成分除去装置においては、前記洗浄台における前記受槽の一側から前記電解生成水供給源の電解生成水用吐出口の下方を経て前記吸気用ダクトの吸気口に至る空気流を形成する空気流形成手段を備える構成とすることができる。この場合、前記空気流形成手段を、前記吸気用ダクトにおける前記洗浄台の受槽の一側に延出させた下流側ダクト部の先端に位置して同吸気用ダクトの吸気口に対向して開口する排気口とすることができ、また、前記吸気用ダクトとは独立して形成した第２の吸気用ダクトの前記洗浄台の受槽の一側にて開口する排気口とすることができる。
【００１０】
本発明に係る塩素成分除去装置においては、塩素成分除去剤として、活性炭、塩素成分と化学反応する反応剤を坦持する活性炭、チオ硫酸ナトリウム、チオ硫酸ナトリウム水溶液、電解生成アルカリ性水、アルカリ性水の群から選択される塩素成分除去剤を採用することができる。
【００１１】
本発明に係る塩素成分除去装置においては、前記吸気用ダクトにおける前記塩素成分除去剤の配設部位の上流側部位に防塵用フィルターを備える構成とすることができる。
【００１２】
本発明に係る塩素成分除去装置においては、前記電解生成水供給源の電解生成水吐出運転に連動して運転されるように構成することができる。この場合、当該塩素成分除去装置を構成する吸気用ファンは、前記電解生成水供給源の電解生成水吐出運転の始動により始動し、かつ、当該電解生成水吐出運転の停止により停止し、または、当該電解生成水吐出運転の停止後所定時間経過後に停止するように構成することができる。
【発明の効果】
【００１３】
本発明に係る塩素成分除去装置は、洗浄台の受槽の近傍に吸気口が開口する吸気用ダクトと、吸気用ダクト内に配置された塩素成分除去剤と、吸気用ダクト内または同吸気用ダクトの排気口に近接して配置され受槽の周囲の雰囲気を吸気口から吸気用ダクト内に吸引して塩素成分除去剤と接触させて排気口から排出させる吸気用ファンを備えることを基本構成とする小型のもので、電解生成水供給源の設置場所の近傍にある洗浄台の所望の場所に設置して使用することができる。このため、当該塩素成分除去装置は、換気設備が整っていない場所で狭い設置空間にも設置し得て、電解生成（電解生成酸性水）水から揮発する塩素ガス等の塩素成分を効率よく除去することができる。
【００１４】
この場合、当該塩素成分除去装置においては、その運転を、電解生成水供給源の電解生成水吐出運転と連動させる構成、すなわち、当該塩素成分除去装置を構成する吸気用ファンを、前記電解生成水供給源の電解生成水吐出運転の始動により始動し、かつ、当該電解生成水吐出運転の停止により停止し、または、当該電解生成水吐出運転の停止後所定時間経過後に停止する構成を採れば、当該塩素成分除去装置を、電解生成水から塩素成分が揮発する必要時にのみ運転することができる。このため、当該塩素成分除去装置の無駄な運転を排除して、当該塩素成分除去装置の運転に要する消費電力を大幅に抑制することができる大きな利点がある。
【００１５】
本発明に係る塩素成分除去装置においては、設置場所を、洗浄台における受槽に隣接する受台上や、洗浄台を構成する台本体内の空間部、例えば、受台の下方や、受槽の側部の空間部に設定することができる。設置場所を受台上とした場合には、当該塩素除去装置を構成する吸気用ダクトの吸気口を受槽の近傍に開口させる構成とする。また、設置場所を台本体内の空間部として同空間部に設置する場合には、当該塩素成分除去装置を構成する吸気用ダクトを洗浄台の側部に沿って上方へ延出し、吸気用ダクトの吸気口を受槽の近傍に開口させる構成とする。前者の設置場所を選定した場合には、塩素成分除去装置を構成する吸引用ダクトを短尺に構成し得て一層小型化を図ることができる利点がある。また、後者の設置場所を選定した場合には、塩素成分除去装置を構成する吸引用ダクトを長尺に構成することになるが、洗浄台上に当該塩素成分除去装置が存在しないことから、洗浄台での電解生成水を使用する作業の作業性を向上させることができる。
【００１６】
本発明に係る塩素成分除去装置においては、洗浄台における受槽の一側から電解生成水用吐出口の下方を経て吸気用ダクトの吸気口に至る空気流を形成する空気流形成手段を備える構成とすることができる。当該空気流形成手段によれば、電解生成水が受槽に至る吐出する流れを交差して、受槽の一側から吸気用ダクトの吸気口に向かう幅広の空気流、所謂エアーカーテンが形成される。当該エアーカーテンを形成する空気流は、電解生成水が吐出途中で揮発してエアーカーテンの上面側に存在する塩素ガス等の塩素成分、電解生成水の吐出途中で揮発してエアーカーテンの下面側に存在する塩素ガス等の塩素成分、および、受槽に収容されている電解生成水から揮発してエアーカーテンの下面側に存在する塩素ガス等の塩素成分を、吸気用ダクトの吸気口に指向すべく機能する。このため、洗浄台の周囲の雰囲気中の塩素成分を一層効果的に除去することができる。
【００１７】
この場合、当該空気流形成手段としては、吸気用ダクトにおける洗浄台の受槽の一側に延出させた下流側ダクト部の先端に位置して同吸気用ダクトの吸気口に対向して開口する排気口や、同吸気用ダクトとは独立して形成した第２の吸気用ダクトの洗浄台の受槽の一側にて開口する排気口を採用することができる。当該空気流形成手段として、前者の手段を採用する場合には、吸気用ダクトの下流側部を受槽の一側まで延出させる必要があるが、送風用ファンにて空気流を吸気口の供給する場合に比較して、空気流の指向性が高いという利点がある。また、当該空気流形成手段として、後者の手段を採用する場合には、吸気用ファンを採用する必要があるが、前者の場合に比較して吸気用ダクトが短尺ですみ、かつ、吸気用ダクトの配置部位の自由度が高くて配置し易いという利点がある。
【００１８】
本発明に係る塩素成分除去装置においては、塩素成分除去剤として、活性炭、塩素成分と化学反応する反応剤を坦持する活性炭、チオ硫酸ナトリウム、チオ硫酸ナトリウム水溶液、電解生成アルカリ性水の群から選択される塩素成分除去剤を採用することができる。当該塩素成分除去剤として特に、粒体、粉体、構造体等の固体の塩素成分除去剤を採用する場合には、当該塩素成分除去装置を構成する吸気用ダクトにおける当該塩素成分除去剤の配設部位の上流側部位に防塵用フィルターを備える構成とすることが好ましい。これにより、当該塩素成分除去装置の運転時における吸気用ダクト内への塵埃等の侵入を阻止して、塵埃に起因する塩素成分除去剤の除去能の低下を防止し、かつ、塵埃に起因する吸気用ファンの駆動時の負荷を軽減することができる。
【発明を実施するための最良の形態】
【００１９】
本発明は、電解生成酸性水の使用中に、当該電解生成酸性水から揮発する塩素成分を除去するための塩素成分装置に関する。本発明に係る塩素成分除去装置は、空気流形成手段を備えていない塩素成分除去装置と、空気流形成手段を備えている塩素成分除去装置とに大別することができる。本発明に係る実施形態としては、空気流形成手段を備えていない塩素成分除去装置（第１の塩素成分除去装置Ａ1）、第１の空気流形成手段を備えている塩素成分除去装置（第２の塩素成分除去装置Ａ2）、第２の空気流形成手段を備えている塩素成分除去装置（第３の塩素成分除去装置Ａ3）を例示する。
【００２０】
第１の塩素成分除去装置Ａ1は、図１〜図７に示されている。図１、図３、図５および図７は、第１の塩素成分除去装置Ａ1を装備する洗浄台の正面図、平面図、左側面図および右側面図である。また、図２、図４および図６は、第１の塩素成分除去装置Ａ1を構成する吸気用ダクトの断面を概略的に示すもので、図２は図１に示す状態の吸気用ダクトを切断した縦断正面図、図４は図３に示す状態の吸気用ダクトを切断した横断平面図、図６は図５に示す状態の吸気用ダクトを切断した縦断側面図である。
【００２１】
第１の塩素成分除去装置Ａ1は、電解生成水供給源である電解水生成装置Ｂの配設位置に近接して設置されている洗浄台（シンク）Ｃに配設されている。洗浄台Ｃは、台本体ｃ1の上側部位である天板の一部が受台ｃ2に形成されているとともに、受台ｃ2の隣接する部位が受槽ｃ3に形成されている。洗浄台Ｃの受槽ｃ3の上方には、電解水生成装置Ｂが有する蛇口ｂが臨んでいる。洗浄台Ｃは、電解水生成装置Ｂおよび当該塩素成分除去装置Ａ1の運転を制御する制御装置を内蔵するコントロールボックスＤを備えている。電解水生成装置Ｂは、有隔膜電解槽を主体とするもので、同電解槽の陽極側電解室では電解生成酸性水が生成され、かつ、同電解槽の陰極側電解室では電解生成アルカリ性水が生成される。
【００２２】
生成された電解生成酸性水は、有効塩素成分を含有する殺菌能に富む電解生成水であって、当該電解水生成装置Ｂの電解運転時には蛇口ｂを通して吐出され、吐出された電解生成酸性水は洗浄台Ｃの受槽ｃ3に受水されて収容される。吐出された電解生成酸性水は、その吐出途中および／または受槽ｃ3に収容された状態で、手足等の身体の殺菌洗浄、食器やその他の各種器具の殺菌洗浄、食材の殺菌洗浄等に使用される。また、当該電解水生成装置Ｂにおいては、生成された電解生成アルカリ性水は、洗浄台Ｃの台本体ｃ1内の空間部に配設した図示しない貯留タンクに収容され、必要時には、貯留タンクから抽出して、例えばアルカリ性の洗浄水として使用され、不要時には排水処理される。なお、受槽ｃ3に収容されている電解生成酸性水は、図示しない排水弁を開放することにより、受槽ｃ3内の底部に設けた排水用タンクｃ4を通して排水される。また、受槽ｃ3内の余剰の電解生成酸性水は、流入口からオーバフローパイプｃ5に流入し、オーバフローパイプｃ5を通して排水用タンクｃ4に流入する。
【００２３】
当該電解水生成装置Ｂで生成される電解生成酸性水は、揮発性の有効塩素成分を含有するもので、電解生成酸性水が含有する揮発性の塩素成分は、電解生成酸性水が蛇口ｂからの吐出中や、受槽ｃ3に収容されている電解生成酸性水から揮発して、洗浄台Ｃの設置場所の周囲に飛散する。第１の塩素成分除去装置Ａ1は、洗浄台Ｃの設置場所の周囲の雰囲気を吸気して、雰囲気中の塩素成分を除去すべく機能する。当該塩素成分除去装置Ａ1は、その主体部を、洗浄台Ｃの受台ｃ2の下面側にて受槽ｃ3の側部に配設されている。
【００２４】
当該塩素成分除去装置Ａ1は、吸気用ダクト１１、吸気用ダクト１１内の途中に配置した塩素成分除去剤１２と、吸気用ダクト１１内の途中に配設した吸気用ファン１３を備えている。吸気用ダクト１１は、洗浄台Ｃの受槽ｃ3の側部に沿って前方の中間部から背面側に延びる断面正方形の主ダクト部１１ａと、主ダクト部１１ａの先端から斜め上方に延びて台本体ｃ1の背面側の起立壁部ｃ6内を経て前側に開口する断面長方形の副ダクト部１１ｂと、主ダクト部１１ａの基端から側部に延びて背面側に開口する断面長方形の排気口部１１ｃにより構成されている。副ダクト部１１ｂの先端は、起立壁部ｃ6における前側にて、受槽ｃ3の上方の部位に開口していて、副ダクト部１１ｂの先端側開口部が吸気口１１ｄに形成されている。吸気口１１ｄは、受槽ｃ3の上方にて受槽ｃ3に沿って左右に所定長さ延びている。
【００２５】
当該吸気用ダクト１１においては、主ダクト部１１ａ内の中間部位に塩素成分除去剤１２が配置され、かつ、主ダクト部１１ａの基端部である排気口部１１ｃとの境界部位に吸気用ファン１３が配設されている。また、副ダクト部１１ｂの先端には、防塵用フィルター１４が配設されている。これにより、吸気口１１ｄは、防塵用フィルター１４によって、前側から覆蓋されている。また、副ダクト部１１ｂの主ダクト部１１ａとの境界部における底部には、水溜部１５が形成されている。
【００２６】
水溜部１５は、副ダクト部１１ｂの底部から下方へ延びる断面長方形の箱体であり、副ダクト部１１ｂの底部に開口している。主ダクト部１１ａにおける水溜部１５の上端開口縁に臨む底面は、水溜部１５の上端開口縁に向かって下降傾斜する傾斜面１１ａ1に形成されている。水溜部１５においては、その溜部１５ａの底部に、開閉弁を有するドレンパイプ１５ｂが設けられている。また、溜部１５ａの側部には、フロートスイッチ１５ｃが設けられている。フロートスイッチ１５ｃは、水溜部１５の溜部１５ａに所定量の水が滞留した際にこの状態を検知して、警報ブザーや警報ランプ等の警告手段を作動すべく機能する。また、ドレンパイプ１５ｂは、開閉弁を開放した状態で、溜部１５ａに滞留する水を排出すべく機能する。
【００２７】
本発明に係る塩素成分除去装置では、塩素成分除去剤として、ガス状の塩素成分を吸着して除去する活性炭、塩素成分と化学反応する反応剤を坦持する活性炭（反応性活性炭）、これらの活性炭の微粉末を成形材料とするハニカム状またはモノリス状の構造体等の活性炭製の多孔質構造体、粒状または粉状のチオ硫酸ナトリウム、チオ硫酸ナトリウム水溶液、電解水生成装置Ｂの陰極側電解室で生成される電解生成アルカリ性水等を採用することができる。これらの塩素成分除去剤は、使い勝手や交換作業の容易さ等を考慮して選択される。当該塩素成分除去装置Ａ1においては、塩素成分除去剤１２としては、使い勝手や交換作業に優れた活性炭の多孔質構造体（活性炭製多孔質構造体）を採用している。
【００２８】
かかる構成の塩素成分除去装置Ａ1においては、その運転が電解水生成装置Ｂと連動する構成となっており、作業者が電解生成酸性水を使用すべく、電解水生成装置Ｂの電解運転を開始すると、当該塩素成分除去装置Ａ1は、その吸気用ファン１３が駆動して運転を開始する。また、作業者が電解生成酸性水の使用を終了すべく電解水生成装置Ｂの電解運転を停止すると、当該塩素成分除去装置Ａ1は、その吸気用ファン１３の駆動が停止されて運転を停止する。当該塩素除去装置Ａ1と電解水生成装置Ｂの運転の互いの連動は、コントロールボックスＤ内に収納した制御装置によって制御され、また、電解水生成装置Ｂの電解運転の開始および停止は、作業者による、コントロールボックスＤの操作盤に配設したスイッチ類の操作によって行われる。
【００２９】
従って、当該塩素成分除去装置Ａ1は、電解生成酸性水を使用しようとする作業者が電解水生成装置Ｂの電解運転を開始する操作を行うと、吸気用ファン１３が駆動を開始して運転を開始する。当該塩素成分除去装置Ａ1は、運転の開始により、洗浄台Ｃの周囲の雰囲気を、吸気用ダクト１１の吸気口１１ｄを通して副ダクト部１１ｂ内に吸引する。吸引された雰囲気（空気流）は、主ダクト部１１ａ内を経て排気口部１１ｃから排出される。この間、空気流は主ダクト部１１ａ内に配置した塩素成分除去剤１２（活性炭製多孔質構造体）を透過し、当該空気流が含有する電解生成酸性水から揮発した塩素成分は、活性炭製多孔質構造体１２が坦持する反応剤と化学反応して当該空気流から除去され、当該空気流は塩素成分を含有しない排気として排気口部１１ｃから排出される。
【００３０】
このように、当該塩素成分除去装置Ａ1においては、電解水生成装置Ｂで生成された電解生成酸性水を洗浄台Ｃの設置場所にて使用している間、洗浄台Ｃの周囲の雰囲気を吸引して、雰囲気中の塩素成分を除去するものであって、電解生成酸性水の使用中に揮発する塩素成分による周囲の汚染を防止する。当該塩素成分除去装置Ａ1は小型であって、換気設備が整っていない場所で、洗浄台Ｃの台本体ｃ1内の狭い空間に設置して、電解生成酸性水から揮発する塩素ガス等の塩素成分を効率よく除去することができる。
【００３１】
しかして、当該塩素成分除去装置Ａ1においては、その運転の開始および停止を、電解水生成装置Ｂの電解運転および停止と連動させているため、当該塩素成分除去装置Ａ1を、電解生成酸性水から塩素成分が揮発する必要時にのみ運転することができる。このため、当該塩素成分除去装置Ａ1の無駄な運転を防止して、当該塩素成分除去装置Ａ1の運転に要する消費電力を大幅に抑制することができる。なお、この場合、当該塩素成分除去装置Ａ1の吸気用ファン１３の駆動を停止するタイミングを、電解水生成装置Ｂの電解運転の停止に基づいて、これより所定時間延長するようにするようにしてもよい。
【００３２】
また、当該塩素成分除去装置Ａ1においては、設置場所を、洗浄台Ｃの台本体ｃ1内の空間部にて、受槽ｃ3の側部に配設しているため、洗浄台Ｃの受台ｃ2をそのまま確保することができて、洗浄台Ｃを使用する際に必要な受台ｃ2の本来の機能を確保することができる。また、これにより、洗浄台Ｃでの作業性の低下を防止することができる。
【００３３】
当該塩素成分除去装置Ａ1においては、塩素成分除去剤１２として、活性炭の微粉末を成形材料とするハニカム状またはモノリス状の構造体である多孔質構造体（活性炭製多孔質構造体１２）を採用していることに起因して、吸引用ダクト１１の吸気口１１ｄを防塵用フィルター１４で覆い、かつ、主ダクト部１１ａ内における活性炭製多孔質構造体１２の上流側に水溜部１５を設けている。防塵用フィルター１４は、雰囲気中に飛散している塵埃の吸気用ダクト１１内への侵入を規制すべく機能するもので、これにより、活性炭製多孔質構造体１２の目詰まり等を防止して、活性炭製多孔質構造体１２における吸気の透過性の低下を防止するととに、塩素成分の除去能の低下を防止する。また、水溜部１５は、吸気用ダクト１１内に吸引された雰囲気中の水分を、活性炭製多孔質構造体１２より上流側部位にて捕捉して滞留すべく機能するもので、これにより、活性炭製多孔質構造体１２への水分の侵入を規制することができて、水分の侵入に起因する活性炭製多孔質構造体１２の塩素成分の除去能の低下を防止することができる。
【００３４】
第２の塩素成分除去装置Ａ2は、図８〜図１０に示されている。図８、図９および図１０は、第２の塩素成分除去装置Ａ2を装備する洗浄台の正面図、平面図および左側面図であって、第１の塩素成分除去装置Ａ1を装備する洗浄台を示す図１、図３および図５に対応するものである。当該塩素成分除去装置Ａ2は、実質的には、第１の塩素成分除去装置Ａ1に空気流形成機構を付加して構成されているものである。従って、当該塩素成分除去装置Ａ2の以下の説明では、第１の塩素成分除去装置Ａ1を構成する構成部材および構成部位と同一または類似する構成部材および構成部位については、２０番台の類似する符号を付してそれらの詳細な説明を省略し、主として、新たに付加した空気流形成機構について詳細に説明する。また、当該塩素成分除去装置Ａ2の電解水生成装置Ｂと洗浄台Ｃとの互いの関係については、空気流形成機構を介在させている点を除き、第１の塩素成分除去装置Ａ1の電解水生成装置Ｂと洗浄台Ｃとの互いの関係と同様の関係にあって、また、電解水生成装置Ｂおよび洗浄台Ｃ自体は、第１の塩素成分除去装置Ａ1に対する場合と同様に機能する。
【００３５】
当該塩素成分除去装置Ａ2は、吸気用ダクト２１、吸気用ダクト２１内の途中に配置した塩素成分除去剤２２（活性炭製多孔質構造体２２）と、吸気用ダクト２１内の途中に配設した吸気用ファン２３を備えている。吸気用ダクト２１は、洗浄台Ｃの受槽ｃ3の側部に沿って前方の中間部から背面側に延びる断面正方形の主ダクト部２１ａと、主ダクト部２１ａの先端から斜め上方に延びて台本体ｃ1の背面側の起立壁部ｃ6内を経て前側に開口する断面長方形の副ダクト部２１ｂを備えている。主ダクト部２１ａの基端部には、第１の塩素成分除去装置Ａ1を構成する吸気用ダクト１１の排気口部１１ｃに替えて、後述する空気流形成機構２６を構成する排気ダクトが連結されている。副ダクト部２１ｂの先端側開口部は吸気口２１ｄに形成されている。
【００３６】
当該吸気用ダクト２１においては、主ダクト部２１ａ内の中間部位に塩素成分除去剤２２が配置され、かつ、主ダクト部２１ａの基端部である排気ダクト２６との境界部位に吸気用ファン２３が配設されている。副ダクト部２１ｂの吸気口２１ｄは、防塵用フィルター２４によって前側から覆蓋され、また、副ダクト部２１ｂの主ダクト部２１ａとの境界部の底部には、水溜部２５が形成されている。
【００３７】
空気流形成機構２６は、吸気用ダクト２１の下流側ダクト部を構成し、塩素成分を除去された吸気（空気流）を、洗浄台Ｃの受槽ｃ3の一側（前側）に導いて吸気用ダクト２１の吸気口２１ｄに指向すべく機能する。空気流形成機構２６は、受槽ｃ3の一側に沿って下方に所定長さ延びる断面長方形の主ダクト部２６ａと、主ダクト部２６ａを吸気用ダクト２１の主ダクト部２１ａの基端部に連結する連結ダクト部２６ｂとからなり、主ダクト部２６ａにおける先端側開口部は、吸気用ダクト２１の吸気口２１ｄに対向する排気口２６ｃに形成されている。排気口２６ｃは、吸気用ダクト２１の吸気口２１ｄと略同一長さの横長状に形成されている。従って、排気口２６ｃから排出される排気（空気流）は、吸気口２１ｄに指向されて流動し、指向された空気流は、排気口２６ｃと吸気口２１ｄ間にて、電解水生成装置Ｂの蛇口ｂと洗浄台Ｃの受槽ｃ3の間に介在する、横方向に相当の幅を有する空気流（エアーカーテン）を形成する。エアーカーテンは、図７の１点鎖線２６ｄにて概略的に示している。
【００３８】
かかる構成の塩素成分除去装置Ａ2においては、第１の塩素成分除去装置Ａ1と同様、電解水生成装置Ｂの電解運転を開始すると、吸気用ファン２３が駆動を開始して運転を開始する。当該塩素成分除去装置Ａ2は、運転の開始により、洗浄台Ｃの周囲の雰囲気を、吸気用ダク２１の吸気口２１ｄを通して吸引する。吸引された雰囲気（空気流）は、活性炭製多孔質構造体２２を透過する。当該空気流は、活性炭製多孔質構造体２２を透過する間に、含有する塩素成分を除去され、空気流形成機構２６を構成する連結ダクト部２６ｂに流入する。連結ダクト部２６ｂに流入した空気流（排気）は、主ダクト部２６ａを流動して排気口２６ｃに至り、排気口２６ｃから吸気用ダクト２１の吸気口２１ｄに指向して排出される。指向された空気流は、排気口２６ｃと吸気口２１ｄ間にて、電解水生成装置Ｂの蛇口ｂと洗浄台Ｃの受槽ｃ3の間に介在する、横方向に相当の幅を有するエアーカーテン２６ｄを形成する。
【００３９】
電解水生成装置Ｂの蛇口ｂから吐出する電解生成酸性水は、エアーカーテン２６ｄを何等問題なく透過して洗浄台Ｃの受槽ｃ3に収容されるとともに、作業者は手等をエアーカーテン２６ｄに何等問題なく突入して作業を行うことができる。このような状態の洗浄台Ｃでの作業時には、エアーカーテン２６ｄ上面側には、吐出途中の電解生成酸性水から揮発した塩素ガス等の塩素成分が存在し、エアーカーテン２６ｄの下面側には、吐出途中で揮発した塩素ガス等の塩素成分や、受槽ｃ3に収容されている電解生成酸性水から揮発した塩素ガス等の塩素成分が存在する。この状態において、エアーカーテン２６ｄは連続して流れる空気流にて形成されていて、常に、吸気用ダクト２１の吸気口２１ｄに指向して流れているいるため、エアーカーテン２６ｄの上面側および下面側に位置している塩素成分を含有する雰囲気は、エアーカーテン２６ｄの流れに乗って吸気口２１ｃを通って吸気用ダクト２１内に吸引されることになる。このため、当該塩素成分除去装置Ａ2は、空気流形成機構２６を備えることにより、洗浄台Ｃの周囲の雰囲気を効率よく吸気用ダクト２１内に吸引することができて、第１の塩素成分除去装置Ａ1に比較して、電解生成酸性水から揮発した塩素成分を一層効率よく除去することができる。
【００４０】
第３の塩素成分除去装置Ａ3は、図１１〜図１３に示されている。図１１、図１２および図１３は、第３の塩素成分除去装置Ａ3を装備する洗浄台の正面図、平面図および左側面図であって、第１の塩素成分除去装置Ａ1を装備する洗浄台を示す図１、図３および図５に対応し、かつ、第２の塩素成分除去装置Ａ2を装備する洗浄台を示す図８、図９および図１０に対応するものである。当該塩素成分除去装置Ａ3は、実質的には、第１の塩素成分除去装置Ａ1に空気流形成機構を付加して構成されているものであり、かつ、第２の塩素成分除去装置Ａ2が備える空気流形成機構２６とは異なる空気流形成機構を付加したものである。
【００４１】
従って、当該塩素成分除去装置Ａ3の以下の説明では、第１の塩素成分除去装置Ａ1を構成する構成部材および構成部位と同一または類似する構成部材および構成部位については、３０番台の類似する符号を付してそれらの詳細な説明を省略し、主として、新たに付加した空気流形成機構について詳細に説明する。また、当該塩素成分除去装置Ａ3の電解水生成装置Ｂと洗浄台Ｃの互いの関係は、空気流形成機構の点を除き、第２の塩素成分除去装置Ａ2の電解水生成装置Ｂと洗浄台Ｃとの互いの関係と同様の関係にあり、また、電解水生成装置Ｂおよび洗浄台Ｃ自体は第１の塩素成分除去装置Ａ1と同様に機能する。
【００４２】
当該塩素成分除去装置Ａ3は、吸気用ダクト３１、吸気用ダクト３１内の途中に配置した塩素成分除去剤３２（活性炭製多孔質構造体３２）、吸気用ダクト３１内の途中に配設した吸気用ファン３３を備えている。吸気用ダクト３１は、洗浄台Ｃの受槽ｃ3の側部に沿って前方の中間部から背面側に延びる断面正方形の主ダクト部３１ａと、主ダクト部３１ａの先端から斜め上方に延びて台本体ｃ1の背面側の起立壁部ｃ5内を経て前側に開口する断面長方形の副ダクト部３１ｂと、主ダクト部３１ａの基端から側部に延びて背面側に開口する排気口部３１ｃを備えている。副ダクト部３１ｂの先端側開口部は、吸気口３１ｄに形成されている。
【００４３】
当該吸気用ダクト３１においては、主ダクト部３１ａ内の中間部位に塩素成分除去剤３２が配置され、かつ、主ダクト部３１ａの基端部である排気口部３１ｃとの境界部位に吸気用ファン３３が配設されている。副ダクト部３１ｂの吸気口３１ｄは、防塵用フィルター３４によって前側から覆蓋され、また、副ダクト部３１ｂの基端部である主ダクト部３１ａとの境界部の底部には、水溜部３５が形成されている。
【００４４】
空気流形成機構３６は、大気を吸引して洗浄台Ｃの受槽ｃ3の一側（前側）に導いて吸気用ダクト３１の吸気口３１ｄに指向すべく機能するもので、吸気用ファン３６ａを配設した吸引ダクト部３６ｂと、受槽ｃ3の一側から所定量下方に延びて吸引ダクト部３６ｂに連結する排出ダクト部３６ｃとからなり、排出ダクト部３６ｃにおける先端側開口部は、吸気用ダクト３１の吸気口３１ｄに対向する排気口３６ｄに形成されている。排気口３６ｄは、吸気用ダクト３１の吸気口３１ｄと略同一長さの横長状に形成されている。従って、排気口３６ｄから排出される排気（空気流）は、吸気口３１ｄに指向されて流動し、指向された空気流は、排気口３６ｄと吸気口３１ｄ間にて、電解水生成装置Ｂの蛇口ｂと洗浄台Ｃの受槽ｃ3の間に介在する、横方向に相当の幅を有する空気流（エアーカーテン）を形成する。エアーカーテンは、図１０の１点鎖線３６ｅにて概略的に示しているもので、エアーカーテン３６ｅは、第２の塩素成分除去装置Ａ2が装備する空気流形成機構２６が形成するエアーカーテン２６ｄと同様の形状のものである。
【００４５】
かかる構成の塩素成分除去装置Ａ3においては、第１の塩素成分除去装置Ａ1と同様、電解水生成装置Ｂの電解運転を開始すると、吸気用ファン３３および吸気用ファン３６ａが共に駆動を開始して運転を開始する。当該塩素成分除去装置Ａ3は、運転が開始されると、吸気用ファン３３の駆動によって、洗浄台Ｃの周囲の雰囲気を、吸気口３１ｄを通して吸気用ダク３１内に吸引し、また、吸気用ファン３６ａの駆動によって、大気を吸引ダクト部３６ｂに吸引する。吸気用ダクト３１内に吸引された雰囲気（空気流）は、活性炭製多孔質構造体３２を透過し、透過する間に含有する塩素成分を除去され、清浄な空気となって排気口部３１ｃから排出される。
【００４６】
一方、空気流形成機構３６を構成する吸引ダクト部３６ｂ内に吸引された大気（空気流）は、排出ダクト部３６ｃを経て排気口３６ｄから吸引用ダクト３１の吸気口３１ｄに指向して排出される。指向された空気流は、排気口３６ｄと吸気口３１ｄ間にて、電解水生成装置Ｂの蛇口ｂと洗浄台Ｃの受槽ｃ3の間に介在する、横方向に相当の幅を有する空気流（エアーカーテン）３６ｅを形成する。エアーカーテン３６ｅは、第２の塩素成分除去装置Ａ2が装備する空気流形成機構２６が形成するエアーカーテン２６ｄと同様の形状で同様に位置する。このため、エアーカーテン３６ｅは、エアーカーテン２６ｄと同様に機能し、当該塩素成分除去装置Ａ3は、第１の塩素成分除去装置Ａ1に比較して、電解生成酸性水から揮発した塩素成分を一層効率よく除去することができる。
【００４７】
このように、上記した第２の塩素成分除去装置Ａ2および第３の塩素成分除去装置Ａ3は、互いに形式を異にする空気流形成機構２６およびは空気流形成機構３６を装備していて、電解生成酸性水から洗浄台Ｃの周囲に揮発する塩素成分の除去効率を一段と向上させている。空気流形成機構２６およびは空気流形成機構３６を対比すると、空気流形成機構２６を採用する場合には、吸気用ダクト２１の下流側を受槽ｃ3の一側まで長尺に延長する必要があって大型なものになるが、吸気用ファン３６ａ等の独立した吸気用ファンが不要であって、当該吸気用ファンの駆動に要する消費電力を解消することができるという利点がある。これ対して、空気流形成機構３６を採用する場合には、必要とするダクト（吸引ダクト部３６ｂおよび排出ダクト部３６ｃ）が短尺でよくて小型のものとなり、小型化に起因して、洗浄台Ｃに対する配設の自由度が大きくなって、空気流形成機構３６の洗浄台Ｃに対する配設が容易になるという利点がある。
【図面の簡単な説明】
【００４８】
【図１】本発明に係る第１の塩素成分除去装置を装備する洗浄台の正面図である。
【図２】同塩素成分除去装置が有するダクト部の断面を概略的に示す縦断正面図である。
【図３】同洗浄台の平面図である。
【図４】同塩素成分除去装置が有するダクト部の断面を概略的に示す横断平面図である。
【図５】同洗浄台の左側からみた側面図である。
【図６】同塩素成分除去装置が有するダクト部の断面を概略的に示す縦断側面図である。
【図７】同洗浄台の右側の平面図である。
【図８】本発明に係る第２の塩素成分除去装置を装備する洗浄台の正面図である。
【図９】同洗浄台の平面図である。
【図１０】同洗浄台の左側からみた側面図である。
【図１１】本発明に係る第３の塩素成分除去装置を装備する洗浄台の正面図である。
【図１２】同洗浄台の平面図である。
【図１３】同洗浄台の左側からみた側面図である。
【符号の説明】
【００４９】
Ａ1…第１の塩素成分除去装置、１１…吸気用ダクト、１１ａ…主ダクト部、１１ａ1…傾斜面、１１ｂ…副ダクト部、１１ｃ…排気口部、１１ｄ…吸気口、１２…塩素成分除去剤、１３…吸気用ファン、１４…防塵用フィルター、１５…水溜部、１５ａ…溜部、１５ｂ…ドレンパイプ、１５ｃ…フロートスイッチ、Ａ2…第２の塩素成分除去装置、２１…吸気用ダクト、２１ａ…主ダクト部、２１ｂ…副ダクト部、２１ｄ…吸気口、２２…塩素成分除去剤（活性炭多孔質構造体）、２３…吸気用ファン、２４…防塵フィルター、２５…水溜部、２６…空気流形成機構、２６ａ…主ダクト部、２６ｂ…連結ダクト部、２６ｃ…排気口、２６ｄ…エアーカーテン、Ａ3…塩素成分除去装置、３１…吸気用ダクト、３１ａ…主ダクト部、３１ｂ…副ダクト部、３１ｃ…排気口部、３１ｄ…吸気口、３２…塩素成分除去剤（活性炭製多孔質構造体）、３３…吸気用ファン、３４…防塵フィルター、３５…水溜部、３６…空気流形成機構、３６ａ…吸気用ファン、３６ｂ…吸引ダクト部、３６ｃ…排出ダクト部、３６ｄ…排気口、３６ｅ…エアーカーテン、Ｂ…電解水生成装置、ｂ…蛇口、Ｃ…洗浄台（シンク）ｃ1…台本体、ｃ2…受台、ｃ3…受槽、ｃ4…排水用タンク、ｃ5…オーバフローパイプ、ｃ6…起立壁部、Ｄ…コントロールボックス。
【図１】
2005081288.tif 000003
【図２】
2005081288.tif 000004
【図３】
2005081288.tif 000005
【図４】
2005081288.tif 000006
【図５】
2005081288.tif 000007
【図６】
2005081288.tif 000008
【図７】
2005081288.tif 000009
【図８】
2005081288.tif 000010
【図９】
2005081288.tif 000011
【図１０】
2005081288.tif 000012
【図１１】
2005081288.tif 000013
【図１２】
2005081288.tif 000014
【図１３】
2005081288.tif 000015